【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
電力コンバータで使用されるコントローラであって、
電力コンバータの出力を表すフィードバック信号を受けるために結合されたフィードバックセンサ回路と、
前記フィードバックセンサ回路によって受けられるために結合されたフィードバックサンプリング信号を生成するために結合されたフィードバックサンプリング信号発生器であり、前記フィードバックセンサ回路は、前記フィードバックサンプリング信号に応じて前記フィードバック信号をサンプリングするために結合されたフィードバックサンプリング信号発生器と、
前記フィードバックセンサ回路に応じて複数の稼動条件状態のうちの１つによって、前記電力コンバータ回路のスイッチのスイッチングを制御するために前記フィードバックセンサ回路に結合された状態機械と、
前記状態機械によって受けられるために結合されたフィードバック期間信号を生成するために結合されたフィードバック期間信号発生器であり、前記フィードバック期間信号の期間は、前記フィードバックサンプリング信号の期間より実質的に大きく、前記状態機械は、前記フィードバック期間信号に応じて更新されるために結合されたフィードバック期間信号発生器とを含み、
前記スイッチのスイッチングが結合されて、前記電力コンバータの入力から前記電力コンバータの出力へのエネルギの移動を制御し、
前記スイッチのスイッチングが結合されて、前記電力コンバータの入力を流れる入力電流が、前記電力コンバータの入力における電圧に実質的に一致するとともに比例するようにエネルギの移動を制御する、コントローラ。
【請求項２】
前記フィードバックサンプリング信号の周波数が前記スイッチのスイッチング周波数に実質的に等しい、請求項１に記載のコントローラ。
【請求項３】
前記電力コンバータの出力を表す前記フィードバック信号が、前記電力コンバータの出力を流れる電流を表す、請求項１に記載のコントローラ。
【請求項４】
前記電力コンバータの出力を表す前記フィードバック信号が、前記電力コンバータの出力における電圧を表す、請求項１に記載のコントローラ。
【請求項５】
前記複数の各稼動条件状態が実質的に一定のスイッチオンタイムを含む、請求項１に記載のコントローラ。
【請求項６】
前記複数の各稼動条件状態が実質的に一定のスイッチング周波数を含む、請求項１に記載のコントローラ。
【請求項７】
前記フィードバック期間信号の期間が、前記フィードバックサンプリング信号の期間の少なくとも３２０倍である、請求項１に記載のコントローラ。 
【請求項８】
前記フィードバック期間信号の各期間が、前記電力コンバータの入力に結合された交流電圧源の０電圧条件ごとの期間に実質的に等しい、請求項１に記載のコントローラ。
【請求項９】
前記フィードバックセンサ回路が、前記フィードバック信号を受けるために結合された第１のしきい値レベルを有する第１のしきい値レベル検出回路に結合されたカウンタを含む、請求項１に記載のコントローラ。
【請求項１０】
前記フィードバック期間信号の各期間が、前記フィードバック信号が前記第１のしきい値レベルを超える第２の時間ごとの期間に実質的に等しい、請求項９に記載のコントローラ。
【請求項１１】
前記カウンタが結合されて、フィードバックサンプリング周波数でフィードバックサンプリング信号クロックに応じて測定される、請求項９に記載のコントローラ。 
【請求項１２】
前記カウンタが結合されて、第１の状態である前記第１のしきい値レベルと前記フィードバック信号との比較の出力に応じて、前記第１のしきい値レベル検出回路によってインクリメントされる、請求項９に記載のコントローラ。
【請求項１３】
前記カウンタが結合されて、第２の状態である前記第１のしきい値レベルと前記フィードバック信号との比較の出力に応じて、前記第１のしきい値レベル検出回路によってディクリメントされる、請求項１２に記載のコントローラ。
【請求項１４】
前記状態機械が結合されて、前記カウンタの出力値に応じて稼動条件状態を設定して、前記電力コンバータのスイッチのスイッチングを制御する、請求項９に記載のコントローラ。
【請求項１５】
前記状態機械が結合されて、前記カウンタの出力値に応じて、前記フィードバック期間信号の各期間の終了時に次の稼動条件状態を設定する、請求項１４に記載のコントローラ。
【請求項１６】
前記状態機械が結合されて、前記フィードバック期間信号の各期間の終了時まで稼動条件状態を維持する、請求項１４に記載のコントローラ。
【請求項１７】
前記カウンタが結合されて、前記フィードバック期間信号の各期間の終了時にリセットされる、請求項９に記載のコントローラ。
【請求項１８】
前記フィードバックセンサ回路が、さらに、前記フィードバック信号を受けるために結合された第２のしきい値レベルを有する第２のしきい値レベル検出回路を含む、請求項９に記載のコントローラ。
【請求項１９】
前記状態機械に結合されたロジックをさらに含み、前記第２のしきい値レベルと前記フィードバック信号との比較に応じて、前記状態機械が前記電力コンバータのスイッチを切り替えないようにする、請求項１８に記載のコントローラ。
【請求項２０】
電力コンバータの入力と前記電力コンバータの出力との間で結合され、前記電力コンバータの入力は、交流電圧源に結合され、前記電力コンバータの出力は負荷に結合されているエネルギ移動要素と、
前記エネルギ移動要素に結合されたスイッチと、
前記スイッチに結合されたコントローラであり、前記コントローラは、前記電力コンバータの出力を表すフィードバック信号を受けて、前記フィードバック信号に応じて前記スイッチのスイッチングを制御して、前記電源の入力から前記電力コンバータの出力へのエネルギの移動を制御するために結合されたコントローラとを備える電力コンバータであって、
前記コントローラは、
前記フィードバック信号を受けるために結合されたフィードバックセンサ回路と、
前記フィードバックセンサ回路によって受けられるために結合されたフィードバックサンプリング信号を生成するために結合されたフィードバックサンプリング信号発生器であり、前記フィードバックセンサ回路は、前記フィードバックサンプリング信号に応じてフィードバックサンプリング周波数で前記フィードバック信号からのフィードバック情報をサンプリングするために結合されているフィードバックサンプリング信号発生器と、
前記フィードバックセンサ回路に応じて複数の稼動条件状態のうちの１つによって、前記スイッチのスイッチングを制御するために前記フィードバックセンサ回路に結合された状態機械と、
前記状態機械を更新するために結合されたフィードバック期間信号を生成するために結合されたフィードバック期間信号発生器であり、前記フィードバック期間信号の期間は前記フィードバックサンプリング信号の期間より実質的に大きく、前記状態機械は、前記フィードバック期間信号の各期間の終了時まで稼動条件状態を維持するために結合されているフィードバック期間信号発生器とを含み、
前記スイッチのスイッチングが結合されて、前記電力コンバータの入力を流れる入力電流が、前記電力コンバータの入力における電圧に実質的に一致するとともに比例するように、エネルギの移動を制御する、電力コンバータ。
【請求項２１】
電力コンバータの入力と前記電力コンバータの出力との間で結合され、前記電力コンバータの入力は、交流電圧源に結合され、前記電力コンバータの出力は負荷に結合されているエネルギ移動要素と、
前記エネルギ移動要素に結合されたスイッチと、
前記スイッチに結合された、請求項１〜１９のいずれかに記載のコントローラであり、前記コントローラは、前記電力コンバータの出力を表すフィードバック信号を受けて、前記フィードバック信号に応じて前記スイッチのスイッチングを制御して、前記電源の入力から前記電力コンバータの出力へのエネルギの移動を制御するために結合されたコントローラとを備える、電力コンバータ。
【請求項２２】
電力コンバータを制御する方法であって、
フィードバックサンプリング周波数で、電力コンバータの出力を表すフィードバック信号からフィードバック情報をサンプリングすることと、
前記サンプリングされたフィードバック情報を第１のしきい値レベルと比較することと、
前記第１のしきい値レベルと前記サンプリングされたフィードバック情報との比較に応じて、前記フィードバックサンプリング周波数の割合で値を調節することと、
前記値に応じてフィードバック期間信号の各期間の終了時に前記電力コンバータのスイッチを切り替えるための稼動条件を設定して、前記電力コンバータの入力から前記電力コンバータの出力へのエネルギの移動を制御し、前記フィードバック期間信号の周波数は、実質的に前記フィードバックサンプリング周波数未満であることとを含み、
前記電力コンバータの入力を流れる入力電流が、前記電力コンバータの入力における電圧に実質的に一致するとともに比例する、方法。
【請求項２３】
前記フィードバック期間信号の各期間の終了時に前記値をリセットすることをさらに含む、請求項２２に記載の方法。
【請求項２４】
前記値に応じて前記フィードバック期間信号の次の期間の終了時に前記電力コンバータのスイッチを切り替えるための次の稼動条件を設定することをさらに含む、請求項２３に記載の方法。
【請求項２５】
前記サンプリングされたフィードバック情報を第２のしきい値レベルと比較することと、
前記サンプリングされたフィードバック情報が前記第２のしきい値レベルより大きい間に前記スイッチを切り替えないようにすることとをさらに含む、請求項２２に記載の方法。